(57)【特許請求の範囲】
【請求項１】
ディスクをディスクトレイに搭載した状態で内蔵するカートリッジを所定位置で固定可能なカートリッジ装着部と、ピックアップと、前記ディスクトレイのディスクに対して記録／再生を行うため前記ディスクトレイを前記カートリッジから装置本体内に引き出し、かつ前記ピックアップが設置されている部位まで搬送可能な搬送機構とを備えた情報ディスク装置のトレイ飛び出し防止構造であって、
前記カートリッジ装着部の所定位置への前記カートリッジの挿入時に前記ディスクトレイをカートリッジ内の格納位置へ規正する構造物を設け、前記構造物は少なくとも回路基板の一部からなることを特徴とするトレイ飛び出し防止構造。
【請求項２】
前記構造物はクランプベース組立体の一部からなることを特徴とする請求項１記載のトレイ飛び出し防止構造。
【請求項３】
前記構造物は前記ピックアップを保持するピックアップモジュールの一部からなることを特徴とする請求項１または２記載のトレイ飛び出し防止構造。
【請求項４】
請求項１〜３のいずれか１項に記載のトレイ飛び出し防止構造を有する情報ディスク装置。
【発明の詳細な説明】
【０００１】
【発明の属する技術分野】
本発明は、ディスクを搭載したディスクトレイを複数枚格納するカートリッジから選択したディスクを引き出し、ピックアップの設置部位まで搬送してディスクに記録／再生を行う情報ディスク装置に用いられ、カートリッジの挿入時にディスクトレイをカートリッジの格納位置へ規正するトレイ飛び出し防止構造に関するものである。
【０００２】
【従来の技術】
近年、パーソナルコンピュータ等において、その記憶媒体の価格や記憶容量などの経済的な優位性、かつ安価で高性能な記録／再生装置のめざましい普及により、ＣＤ−ＲＯＭ，ＣＤ−Ｒ，ＣＤ−ＲＷ等のディスク状記録媒体（以下、ディスクという）が多用されつつある。従来の情報ディスク装置においては、１枚のディスクに対して記録／再生を行うものが大半であり、ディスクに対して記録／再生を行うピックアップの設置部位へは、いわゆる裸の状態あるいはキャディに収納した状態などにより搬送されローディングがなされていた。
【０００３】
さらに、情報ディスク装置では、１枚のディスクを取り扱う構成であることから、取り扱うディスクが複数枚にわたるような処理のとき、例えば、百科事典の内容（文書を含む絵や写真等）を記録したディスクの再生、また画像等の大容量となる情報の記録などの場合、煩雑なディスクの交換を要する。
【０００４】
このため複数のディスクを格納し、自動的に交換を行うような装置が考案されている。この複数枚のディスクを装置内に収納する方法としては、１つの挿入口から順に１枚ずつ挿入し収納可能な複数枚を装置内に格納するか、あるいは、複数枚のディスクを格納するカートリッジを備え、装填されたカートリッジから順次ローディングを行う方法がある。特に、後者のカートリッジを用いる方法は、カートリッジの交換により一度にディスクの入れ替えができ、かつ可搬性の面で優れている等の利便性から多用されている。
【０００５】
主に車載等の形態を考慮してオーディオ用ＣＤを再生するためのマルチディスクプレーヤに見られるような、複数枚のオーディオ用ＣＤをカートリッジ（マガジン）に装填し順次選択することで再生する構成が特公平２−５６７４５号公報に記載されている。
【０００６】
特公平２−５６７４５号公報によれば、ディスクが搭載されている複数のディスクトレイをマガジンに対してそれぞれ回動可能に設け、選択されたディスクが搭載されているディスクトレイを回動して、演奏手段を構成する光学ピックアップ手段の設置部位へ移動させるようにしたマルチディスクプレーヤが記載されている。これにより、複数枚のディスクの順次選択を行う。
【０００７】
【発明が解決しようとする課題】
しかしながら、特公平２−５６７４５号公報によるディスクトレイは、回転支持軸により回動する構成となっており、ディスクトレイの移動するスペースを直線移動する構成と比べると広く必要とするという課題がある。また、ディスクトレイが直線移動する構成にすると、複数枚のディスクを搭載するディスクトレイを内蔵するカーリッジにおいて、情報ディスク装置への挿入時に、ディスクを搭載したディスクトレイの一部がカートリッジから突出して、装置内のディスクを選択しピックアップへ搬送する搬送機構の移動に支障をきたす可能性があり、ひいては、装置本体，ディスクトレイ，ディスク等を破損するおそれがあるという問題があった。
【０００８】
本発明は、前記従来技術の問題を解決することに指向するものであり、ディスクトレイが直線移動するように構成された情報ディスク装置において、カートリッジの挿入時にディスクトレイをカートリッジ内の格納位置へ規正して、不用意にディスクトレイが突出することをなくし、円滑なディスクの選択、交換を行うことを可能とするトレイ飛び出し防止構造を提供することを目的とする。
【０００９】
【課題を解決するための手段】
この目的を達成するために、本発明に係るトレイ飛び出し防止構造は、ディスクをディスクトレイに搭載した状態で内蔵するカートリッジを所定位置で固定可能なカートリッジ装着部と、ピックアップと、ディスクトレイのディスクに対して記録／再生を行うためディスクトレイをカートリッジから装置本体内に引き出し、かつピックアップが設置されている部位まで搬送可能な搬送機構とを備えた情報ディスク装置のトレイ飛び出し防止構造であって、カートリッジ装着部の所定位置へのカートリッジの挿入時にディスクトレイをカートリッジ内の格納位置へ規正する構造物を設け、構造物は少なくとも回路基板の一部からなること、さらに構造物はクランプベース組立体の一部からなること、さらに構造物はピックアップを保持するピックアップモジュールの一部からなること、また、情報ディスク装置は、請求項１〜３のいずれか１項に記載のトレイ飛び出し防止構造を有するように構成したものである。
【００１０】
前記構成によれば、装置本体の構造物を配置しその一部をトレイ飛び出し防止構造として、カートリッジを用いることで生じる装填時のカートリッジ内に格納されたディスクが不用意に突出してしまうことを防ぎ、トレイ飛び出し防止構造の新たな部材やディスクトレイ引き出しの際にそれらを回避する機構等を設けることなく、複数のディスクを選択しローディングを行うことができる。
【００１１】
【発明の実施の形態】
以下、図面を参照して本発明における実施の形態を詳細に説明する。
【００１２】
図１は本発明の実施の形態における情報ディスク装置を示す分解斜視図で、１はディスク２を搭載するディスクトレイ、３は、一方側に開口を有し、複数枚のディスクトレイ１が出し入れ自由に格納される箱状のカートリッジである。装置本体の外装は、挿入口４を設けたフロントカバー５、トップカバー６、アンダーカバー７、サイドフレーム８，９とリアフレーム１０とにより構成される。
【００１３】
また、その内部には、装置本体の駆動／制御を行う電気回路等を設けたプリント基板１１と、ディスク２に対して光学的に記録／再生を行うためのピックアップ１２、ディスク２を回転させるスピンドルモータ１３を有するピックアップモジュール１４とを備えている。
【００１４】
さらに、上下動可能なピックアップ組立体１９は、図示しない駆動機構により上下動されるピックアップモジュール１４と、ピックアップモジュール１４を設置するピックアップモジュール・ベース１５と、ディスク２を保持してスピンドルモータ１３のターンテーブル上にローディングするクランプ部材１８が設けられたクランプベース組立体１６とにより構成される。
【００１５】
また、カートリッジ３が装填されるカートリッジベース１７ａと、カートリッジ３を付勢する付勢バネ１７ｃを有するカートリッジトップベース１７ｂからなるカートリッジ装着部１７とが設置される。
【００１６】
図２は本実施の形態におけるカートリッジの外観斜視図である。ここで、図１に示し説明した構成部材にて、同一の作用効果のものには同一の符号を付し、以下の各図においても同様とする。本実施の形態では５枚のディスクトレイ１が収納可能であるように、図示しないがカートリッジケース２０の対向する内壁に５段の溝が設けられている。また、カートリッジケース２０の内壁奥の両側には、格納された各ディスクトレイ１がディスク共々抜け出さないように、各ディスクトレイ１の一部と係合するロック機構が設けられ、さらにカートリッジ３の外側壁にはカートリッジ装着部へ挿入の際に所定位置にカートリッジ３をロックするロックピン２５（図１参照）と係脱可能なロック溝部が設けられている。
【００１７】
ここで、図１，図２を参照しながら情報ディスク装置におけるディスク２のローディング動作を説明する。まず、情報ディスク装置へガイドピン３２により案内されてカートリッジ３が挿入される。カートリッジ３がカートリッジ装着部１７の所定位置でロックピン２５によりロックされたとき、前記したディスクトレイ１をロックするロック機構の解除が行われる。これにより、ディスク２を搭載したディスクトレイ１は、カートリッジ３から引き出し可能となる。
【００１８】
次に、選択されたディスク２をピックアップモジュール１４へローディングするため、ピックアップ組立体１９は所定の位置へ、つまりカートリッジ３に格納された５枚のディスクトレイ１のいずれか１枚を引き出す位置へ上下移動する。このピックアップ組立体１９の上下移動は、サイドフレーム８に設けられた階段状ガイド機構７０に沿って、図示しない駆動機構により行われる。ピックアップ組立体１９が所定位置へ移動後に、クランプベース組立体１６に設けられた搬送機構（図示せず）によって装置本体内へ引き出されるが、この際に、ディスクトレイ１の延出腕部４１の係合爪部と搬送機構の移動部材に設けられた係合片との係合がなされ引き出される。
【００１９】
さらに、ディスクトレイ１に搭載されたディスク２は、搬送機構により装置本体内奥の部位に設けられたピックアップ組立体１９内のスピンドルモータ１３のターンテーブルの位置まで搬送される。ピックアップモジュール１４に設けられたスピンドルモータ１３のターンテーブルの位置にディスク２が搬送されたとき、ピックアップモジュール１４はクランプベース組立体１６の方向へ移動し、ディスクトレイ１に搭載されたディスク２をターンテーブルとクランプ部材１８間にローディングを行う。スピンドルモータ１３を回転させることによって、ディスク２が回転されピックアップ１２により光学的情報の記録／再生動作が行われる。また、アンローディング動作は前述の説明とは逆の動作により行われる。
【００２０】
図３は本実施の形態における情報ディスク装置へのカートリッジの挿入時を示す上面図、図４はカートリッジが挿入されディスクトレイの延出腕部の先端部が当接する構造物の例を示す部分拡大図、図５は図４をさらに拡大した部分斜視図である。また、図６はディスクトレイと当接して格納位置へ規正する構造物の一部を示す部分側面図である。
【００２１】
図３に示すように、情報ディスク装置にカートリッジ３が矢印Ａ方向へ挿入される。このとき、前述したように、カートリッジ３はガイドピンにより案内され、カートリッジ装着部１７の所定位置でロックピンによりロックされる。それと同時に、格納された各ディスクトレイ１がディスク共々抜け出さないように、各ディスクトレイ１の一部と係合しているロック機構の解除がなされ、装置本体内へ引き出し可能となる。
【００２２】
本実施の形態では、カートリッジ装着部１７の所定位置にカートリッジ３が挿入固定されたとき、ディスクトレイ１の延出腕部４１の先端部は、装置本体を構成する構造物の一部と当接して、カートリッジ３の挿入途中などでディスクトレイ１が突出してしまった場合にディスクトレイ１をカートリッジ３の格納位置へ規正する。このようなディスクトレイ１をカートリッジ３の格納位置へ規正することによって、ピックアップ組立体１９がカートリッジ３に格納された複数枚のディスク２の中から選択を行うために上下移動の動作を行っても、予測されない位置に突出したディスクトレイ１やディスク２と当たることがなく、ディスクトレイ１やディスク２、さらには装置本体の一部を破損してしまうことを防止できる。
【００２３】
前述の情報ディスク装置のトレイ飛び出し防止構造として用いられる構造物として、例えば、図４，図５に示すような、クランプベース組立体１６の一部である突起部１６ａ、搬送機構の移動部材６７の一部でありアンローディングされたディスク２を搭載したディスクトレイ１をカートリッジ３内へ押し戻す際にも用いられるＬ状突起部６７ａ、搬送機構の駆動部等も取り付けられるピックアップモジュール１４の一部、さらにピックアップモジュール１４に取り付けられる中継用回路基板８０の一部などがある。
【００２４】
具体的には、本実施の形態の例として説明した５枚のディスクトレイ１を格納するカートリッジ３において、カートリッジ装着部１７の所定位置に装填されたとき、装置本体側のクランプベース組立体１６を初期位置に配置する。この初期位置は、クランプベース組立体１６の搬送機構がカートリッジ３の上から２番目のディスクトレイ１の引き出しを行う位置とする。図６に示すように、このときのカートリッジ３の最上部に位置する１番目のディスクトレイ１の延出腕部４１の先端部はクランプベース組立体１６の突起部１６ａに当接する。また、２番目のディスクトレイ１の先端部は移動部材６７のＬ状突起部６７ａと、３番目のディスクトレイ１の先端部は２番目と同様にＬ状突起部６７ａの下端部分と当接する。さらに、４番目のディスクトレイ１の先端部はピックアップモジュール１４の一部と、５番目のディスクトレイ１の先端部は中継用回路基板８０の一部と当接する。これにより各ディスクトレイ１はカートリッジ３内の格納位置へ規正され、不用意に突出することを防止することができる。
【００２５】
【発明の効果】
以上説明したように、本発明によれば、装置本体の構造物として配置されたその一部をトレイ飛び出し防止構造とすることで、新たに飛び出し防止構造を設けることなく、カートリッジを用いる利便性を最大限に引き出すと共に、その１つである可搬性によりもたらされる装填時の課題であったカートリッジ内に格納されたディスクが不用意に突出してしまうことを防止できる。さらに、トレイ飛び出し防止構造の部材やディスクトレイ引き出しの際にそれらを回避する機構等を新たに設けることなく、複数のディスクを選択しローディングを行う情報ディスク装置を構築することができるという効果を奏する。
【図面の簡単な説明】
【図１】  本発明の実施の形態における情報ディスク装置を示す分解斜視図
【図２】  本発明の実施の形態におけるカートリッジの外観斜視図
【図３】  本発明の実施の形態における情報ディスク装置へのカートリッジの挿入時を示す上面図
【図４】  本発明の実施の形態におけるカートリッジが挿入されディスクトレイの延出腕部の先端部が当接する構造物の例を示す部分拡大図
【図５】  本発明の実施の形態における図４をさらに拡大した部分斜視図
【図６】  本発明の実施の形態におけるディスクトレイと当接して格納位置へ規正する構造物の一部を示す部分側面図
【符号の説明】
１  ディスクトレイ
２  ディスク
３  カートリッジ
４  挿入口
５  フロントカバー
６  トップカバー
７  アンダーカバー
８，９  サイドフレーム
１１  プリント基板
１２  ピックアップ
１３  スピンドルモータ
１４  ピックアップモジュール
１５  ピックアップモジュール・ベース
１６  クランプベース組立体
１６ａ  突起部
１７  カートリッジ装着部
１７ａ  カートリッジベース
１７ｂ  カートリッジトップベース
１７ｃ  付勢バネ
１８  クランプ部材
１９  ピックアップ組立体
２０  カートリッジケース
２５  ロックピン
３２  ガイドピン
４１  延出腕部
６７  移動部材
６７ａ  Ｌ状突起部
７０  階段状ガイド機構
８０  中継用回路基板
【図１】
0003862130.tif 000002
【図２】
0003862130.tif 000003
【図３】
0003862130.tif 000004
【図４】
0003862130.tif 000005
【図５】
0003862130.tif 000006
【図６】
0003862130.tif 000007